(57)【要約】【課題】プラント機器を監視制御する監視制御装置のファイル更新（ソフトウェアのインストール）を実行する際の更新作業の自動化を図り、負荷、コスト低減を行うとともにプラント監視制御の信頼性の向上を図るプラント機器監視制御装置のファイル更新システムを提供する。【解決手段】処理装置１００には通信ライン３０Ａを介して複数台の制御系の監視制御装置１０Ａ、１０Ｂ、１０Ｃ、および１台の待機系の監視制御装置１０Ｄが設けられ、制御系の監視制御装置１０Ａのファイル更新は、前記監視制御装置１０Ａが待機系に、前記待機系の監視制御装置１０Ｄが制御系に変転されていることを確認し、監視制御装置１０Ａのファイル情報とファイル格納装置２０から入力する更新ファイル情報との比較および標準手順データベースのファイル更新手順との比較を行い誤りがない場合、更新ファイル情報に基づいてファイルが更新される。【選択図】図１
2019067167.tif 000002
【特許請求の範囲】
【請求項１】
プラント機器監視制御装置のファイル更新システムであって、処理装置には通信ラインを介して冗長システムをなす複数台の制御系の監視制御装置、および１台の待機系の監視制御装置が設けられているとともに、前記各監視制御装置にはプラント機器が接続されており、前記処理装置は、入力部を介して前記制御系の監視制御装置に対するファイル更新指令を受信すると、制御モード取得部は、外部装置によって前記待機系の監視制御装置が制御系モードに、かつファイル更新対象の前記制御系の監視制御装置が待機系モードに変転されていることを確認して、ファイル格納装置から更新ファイル情報を入力するとともに、判定部において前記待機系に変転された監視制御装置が所有しているファイル情報と前記更新ファイル情報とを比較し、かつ前記ファイル更新指令に含有されているファイル更新手順と標準手順データベースに格納のファイル更新手順とを比較して誤りがないことを判定後、ファイル更新指令部からの出力で前記更新ファイル情報に基づいて前記待機系モードに変転されている監視制御装置のファイルが更新されるプラント機器監視制御装置のファイル更新システム。
【請求項２】
前記冗長システムは、１台の制御系の監視制御装置と１台の待機系の監視制御装置とする請求項１に記載のプラント機器監視制御装置のファイル更新システム。
【請求項３】
前記待機系モードに変転後の監視制御装置のファイル更新前の前記プラント機器のデータは、前記処理装置のデータ格納部に格納される請求項１または請求項２に記載のプラント機器監視制御装置のファイル更新システム。
【請求項４】
前記処理装置の表示部には、実行されるファイル更新の進捗状況が表示される請求項１から請求項３のいずれか１項に記載のプラント機器監視制御装置のファイル更新システム。
【請求項５】
前記進捗状況の表示は、更新作業が画面上にタブ化されて各作業の項目毎に表示される請求項４に記載のプラント機器監視制御装置のファイル更新システム。
【請求項６】
前記ファイルが更新された後、前記外部装置によって前記待機系モードが制御系に、前記制御系モードが待機系に再変転されるとともに、前記制御モード取得部によって再変転後の制御モードが前記表示部に表示される請求項４または請求項５に記載のプラント機器監視制御装置のファイル更新システム。
【発明の詳細な説明】
【技術分野】
【０００１】
この発明は、原子力発電所等におけるプラント機器監視制御装置のファイル更新システムに関するもので、特に制御系と待機系とよりなる冗長システムを備えたものである。
【背景技術】
【０００２】
従来のソフトウェアのインストール制御システムとして、予めコンピュータにインストール済みの全てのソフトウェア名称と、その更新日時および人手により入力された更新条件からなるファイル管理テーブルを用意し、バージョンアップ等に伴うソフトウェアのインストール時にそのファイル管理テーブルに基づき、このソフトウェアがインストール先のハードディスク等に存在するか否かを逐次チェックし、存在しない場合インストールを行い、一方存在した場合はさらに更新日時を比較しかつ更新条件とつき合わせてその結果が更新条件を満たしておれば、ソフトウェアのインストールを行う技術が開示されている（例えば、特許文献１参照）。
【先行技術文献】
【特許文献】
【０００３】
【特許文献１】特開平１１−２７２４５１号公報
【発明の概要】
【発明が解決しようとする課題】
【０００４】
近年、例えば原子力発電所のより安定した運転制御方式では、監視制御装置の増加傾向に伴い、監視制御装置の相互のバックアップを行う冗長システムを備えたプラント機器の監視制御方式が採用されている。このような監視制御方式であっても監視制御装置に格納されているファイル更新（ソフトウェアのインストール）作業時に、プラント監視制御の機能が喪失に至らないようにする必要があり、また、大規模化されたシステムにおいては必要なチェック項目が膨大化しており、前記特許文献１に示されたものを原子力発電所等のプラントに適用しようとすると、プラントの監視制御が一時期停止状態に陥り、信頼性や安全運転上、問題がある。また、人手によるファイル更新作業では、チェック項目等に多くの時間を必要とし、かつチェック項目の確認漏れ等の発生によるプラント全体の信頼性が低下するおそれがあるという問題点がある。
【０００５】
この発明は、上記のような課題を解決するためになされたものであって、監視制御装置に格納されているファイル更新を自動化することでヒューマンエラーの防止、負荷低減ひいてはコスト低減を行うとともに、プラント機器監視制御の信頼性の向上を図るプラント機器監視制御装置のファイル更新システムを提供することを目的としている。
【課題を解決するための手段】
【０００６】
第１の発明のプラント機器監視制御装置のファイル更新システムは、プラント機器監視制御装置のファイル更新システムであって、処理装置には通信ラインを介して冗長システムをなす複数台の制御系の監視制御装置、および１台の待機系の監視制御装置が設けられているとともに、前記各監視制御装置にはプラント機器が接続されており、前記処理装置は、入力部を介して前記制御系の監視制御装置に対するファイル更新指令を受信すると、制御モード取得部は、外部装置によって前記待機系の監視制御装置が制御系モードに、かつファイル更新対象の前記制御系の監視制御装置が待機系モードに変転されていることを確認して、ファイル格納装置から更新ファイル情報を入力するとともに、判定部において前記待機系に変転された監視制御装置が所有しているファイル情報と前記更新ファイル情報とを比較し、かつ前記ファイル更新指令に含有されているファイル更新手順と標準手順データベースに格納のファイル更新手順とを比較して誤りがないことを判定後、ファイル更新指令部からの出力で前記更新ファイル情報に基づいて前記待機系モードに変転されている監視制御装置のファイルが更新されるものである。
【発明の効果】
【０００７】
この発明に係るプラント機器の監視制御装置のファイル更新システムは、上記のようなシステムを採用しているので、ヒューマンエラーが防止され、人手の負荷低減、コスト低減、さらには信頼性の向上したシステムが得られる。
【図面の簡単な説明】
【０００８】
【図１】実施の形態１によるプラント機器監視制御装置のファイル更新システムを示すブロック図である。
【図２】実施の形態１による処理装置を示すブロック図である。
【図３】実施の形態１の動作を示すフローチャート図である。
【図４】実施の形態１の動作を示すフローチャート図である。
【図５】実施の形態１の動作を示すフローチャート図である。
【発明を実施するための形態】
【０００９】
実施の形態１．
以下、この発明の実施の形態１を図に基づいて説明する。図１は、原子力発電所におけるプラント機器監視制御装置のファイル更新（ソフトウェアのインストール）システムを示すブロック図である。図１において、プラント運転技術員が操作する端末機などの処理装置１００には、通信ライン３０Ａを介して冗長システムをなす複数台の装置を構成する制御系の第一監視制御装置１０Ａ、第二監視制御装置１０Ｂ、第三監視制御装置１０Ｃと、この制御系をバックアップする待機系の監視制御装置１０Ｄが設けられており、また、前記制御系と待機系には通信ライン３０Ｂを介して、例えばポンプ駆動モータや流量計、バルブ等のプラント機器１１Ａ、１１Ｂ、１１Ｃが接続されている。
【００１０】
図２は処理装置１００の構成ブロック図を示す。処理装置１００に設けられた入力部１には、技術員が入力するファイル更新指令や、外部に設けられたファイル格納装置２０からの更新ファイル情報が入力される。制御部２は処理装置１００に設けられている各機能を効率よく運用させる機能を有している。制御モード取得部３は、制御系である第一監視制御装置１０Ａ〜第三監視制御装置１０Ｃおよび待機系である監視制御装置１０Ｄの、その時点における制御モードつまりその時点で制御系か待機系で運転されているかの情報を取得する。標準手順データベース４は、ファイル更新の標準的な更新手順が格納されている。判定部５は、技術員が入力するファイル更新指令に含まれる更新手順や、対象監視制御装置、およびファイル更新条件、例えば現在運用中のファイル名称や番号、過去の更新日時等を確認し、更新すべき新ファイルとのファイル更新条件を満足している場合に、ファイル更新指令部６に更新指令を出力する。ファイル更新指令部６は、前記ファイル格納装置２０から入力する更新ファイルを更新対象の監視制御装置に送信することにより、ファイル更新（ソフトウェアのインストール）がなされる。表示部７には、入力部１の動作状態や更新対象制御装置の制御モード状態、ファイル更新状態、更新完了等の項目が画面にタブ化して、各項目の詳細が表示される。データ格納部８は、対象の監視制御装置が保有するファイル更新前のデータが保存され、ファイル更新前後のデータ確認を可能としている。
【００１１】
次に、動作について図３、図４、図５に示すフローチャートに基づき説明する。尚、この動作は、第一監視制御装置１０Ａのファイル更新を行う場合を例として示しており、他の第二監視制御装置１０Ｂ等についても同様のフローとなる。また、ＳＴはステップの略である。
ＳＴ１．処理装置１００の入力部１を介して技術員が入力する第一監視制御装置１０Ａへのファイル更新指令が入力される。
ＳＴ２．制御モード取得部３は、外部装置によって第一監視制御装置１０Ａが待機系モードに、かつ監視制御装置１０Ｄが制御系モードに変転されているか否かのチェックを行う。
ＳＴ３．外部装置のファイル格納装置２０から、更新内容が格納された更新ファイル情報を入力する。
ＳＴ４．判定部５は、現時点での第一監視制御装置１０Ａが運用中のファイル名称やファイル番号、過去のファイル更新日時等の内容と、更新ファイル情報との比較を行い、更新の適否を行う。
ＳＴ５．判定部５は、ＳＴ１で受信したファイル更新指令に含まれるファイル更新手順と、標準手順データベース４に格納されているファイル更新手順とを比較して、受信したファイル更新手順に誤りがないか判定する。
ＳＴ６．ファイル更新指令部６は、第一監視制御装置１０Ａに対して、更新ファイル情報でもってファイル更新指令を出力する。
ＳＴ７．入力部１は、第一監視制御装置１０Ａから、ファイル更新前のプラント機器のデータ、ファイル情報を取得し、データ格納部８に格納する。
ＳＴ８．表示部７に、ファイル更新の進捗状況、制御モード状態、更新完了等の項目がタブ化されて、項目の詳細が表示される。
以上のＳＴによって第一監視制御装置１０Ａのファイル更新を完了後、外部装置により第一監視制御装置１０Ａが待機系モードから制御系モードに変転されるとともに、監視制御装置１０Ｄが待機系モードに変転され、この状態を制御モード取得部３が取得し表示部７に表示される。
【００１２】
この実施の形態１によるプラント機器監視制御装置のファイル更新システムでは、前述の構成により要所ステップ毎にファイル更新対象の監視制御装置の可能性や手順、動作表示等を自動化して判定しているので、ヒューマンエラー防止、負荷低減を図り、かつプラント全体の信頼性の向上がなされるという効果がある。
【００１３】
尚、前述のＳＴ５において判定部５が技術員の入力したファイル更新手順に誤りがあることを判定した場合、その誤手順箇所を表示部７に表示してもよい。このような表示を行うことで、技術員による入力修正を容易とする。また、前述のＳＴ６とＳＴ７はその順序を入れ替えてもよい。さらに、この実施の形態１の冗長システムでは制御系として３台の監視制御装置１０Ａ〜監視制御装置１０Ｃに対して、１台の待機系の監視制御装置１０Ｄを示したが、これに限らず１台の制御系監視制御装置、１台の待機系監視制御装置による冗長システムであってもよい。
【００１４】
尚、本発明は、その発明の範囲内において、実施の形態を適宜、変形、省略することが可能である。
【符号の説明】
【００１５】
１  入力部、３  制御モード取得部、４  標準手順データベース、５  判定部、
６  ファイル更新指令部、７  表示部、８  データ格納部、
１０Ａ  第一監視制御装置（制御系）、１０Ｄ  監視制御装置（待機系）、
１１Ａ  プラント機器、２０  ファイル格納装置、３０Ａ  通信ライン、
１００  処理装置。
【図１】
2019067167.tif 000003
【図２】
2019067167.tif 000004
【図３】
2019067167.tif 000005
【図４】
2019067167.tif 000006
【図５】
2019067167.tif 000007